(57)【要約】【課題】電子機器の外部の音声を収音する装置であって、電子機器内部で発生する雑音を抑圧して収音する収音装置を提供する。【解決手段】音孔１１４を有する筐体１０５と、筐体１０５の内部に配置され、音孔１１４を介して筐体１０５の外部からの音圧を受け、第１の音声信号を生成する主マイクロホン１１１Ｒと、筐体１０５の内部であって、主マイクロホン１１１Ｒの近傍に配置され、第２の音声信号を生成する参照マイクロホン１１１Ｎと、筐体１０５の内部と主マイクロホン１１１Ｒの内部とを遮断する第１の遮断部材４０８と、筐体１０５の外部と参照マイクロホン１１１Ｎの内部とを遮断する第２の遮断部材１０５と、筐体１０５の内部と参照マイクロホン１１１Ｎの内部とを遮断する第３の遮断部材４０８と、を備えた収音装置。【選択図】図５
2018042228.tif 000002
【特許請求の範囲】
【請求項１】
音孔を有する筐体と、
前記筐体の内部に配置され、前記音孔を介して前記筐体の外部からの音圧を受け、第１の音声信号を生成する主マイクロホンと、
前記筐体の前記内部であって、前記主マイクロホンの近傍に配置され、第２の音声信号を生成する参照マイクロホンと、
前記筐体の前記内部と前記主マイクロホンの内部とを遮断する第１の遮断部材と、
前記筐体の前記外部と前記参照マイクロホンの内部とを遮断する第２の遮断部材と、
前記筐体の前記内部と前記参照マイクロホンの前記内部とを遮断する第３の遮断部材と、
を備えた、収音装置。
【請求項２】
前記主マイクロホンは、第１の方向からの音声を入力する第１の主マイクロホンと、前記第１の方向と異なる第２の方向からの音声を入力する第２の主マイクロホンとを含む、請求項１記載の収音装置。
【請求項３】
前記参照マイクロホンと前記第１の主マイクロホンとの距離と、前記参照マイクロホンと前記第２の主マイクロホンとの距離は等しい、請求項２記載の収音装置。
【請求項４】
前記主マイクロホンを前記筐体に固定する固定部材と、前記参照マイクロホンを前記筐体に固定する固定部材とは同じである、請求項１記載の収音装置。
【請求項５】
前記第２の遮蔽部材の少なくとも一部は前記筐体であり、前記第３の遮蔽部材の少なくとも一部は前記参照マイクロホンの外装部である、請求項１記載の収音装置。
【請求項６】
前記第２の遮蔽部材の少なくとも一部は前記参照マイクロホンの外装部であり、前記第３の遮蔽部材の少なくとも一部は前記参照マイクロホンを前記筐体に固定する固定部材である、請求項１記載の収音装置。
【請求項７】
前記第２の音声信号に基づき雑音成分を求め、前記第１の音声信号から前記雑音成分を減算する音声処理部をさらに備えた、請求項１記載の収音装置。
【請求項８】
被写体を撮像して画像信号を生成する撮像部と、
音声を入力し、音声信号を生成する、請求項１から請求項７のいずれか一つに記載の収音装置と、
前記画像信号を、前記音声信号とともに所定の記録媒体に記録する制御部と、
を備えた撮像装置。
【請求項９】
前記撮像装置は、防塵防滴仕様の密閉構造である、請求項８に記載の撮像装置。
【請求項１０】
前記撮像装置は、手振れ補正機構を有する、請求項８に記載の撮像装置。
【発明の詳細な説明】
【技術分野】
【０００１】
本開示は、音を収音する収音装置及びそれを用いた撮像装置に関する。
【背景技術】
【０００２】
従来、入力した音声の大きさを適正なレベルに制御する自動レベル制御（ＡＬＣ：Ａｕｔｏ  Ｌｅｖｅｌ  Ｃｏｎｔｒｏｌ）機能を有する音声処理装置が知られている（例えば特許文献１参照）。
【０００３】
特許文献１は、機器の動作時に雑音を発生する機構部を機器筺体の内部に有し、外部音の収音時に内部雑音の混入を低減するマイクロホン装置を開示する。このマイクロホン装置は、機器筐体の外部から到来する外部音を収音する主マイクロホンと、機器筐体の内部に設けられた雑音参照マイクロホンと、雑音参照マイクロホンの検出信号を入力し、更新されたフィルタ係数を用いて制御音信号を生成する適応フィルタ手段と、主マイクロホンの出力信号から適応フィルタ手段の制御音信号を減算する信号減算手段と、主マイクロホンの出力信号と雑音参照マイクロホンの検出信号のレベルを比較する信号レベル比較手段と、信号レベル比較手段の比較結果と前記信号減算手段の減算結果と雑音参照マイクロホンの検出信号とを入力し、雑音参照マイクロホンの出力レベルが主マイクロホンの出力レベルより大きいとき、信号減算手段の減算結果が最小になるよう適応フィルタ手段のフィルタ係数を更新するフィルタ係数更新制御手段と、を備える。このマイクロホン装置によれば、雑音参照マイクロホンからの信号を適応フィルタ手段に与えて制御音信号を生成し、この制御音信号で雑音をキャンセルするために、外部音の収音時に内部雑音の混入を低減することができる。
【先行技術文献】
【特許文献】
【０００４】
【特許文献１】特開２０００−４４９４号公報
【発明の概要】
【発明が解決しようとする課題】
【０００５】
本開示は、電子機器の外部の音声を収音して音声信号を生成する際に、音声信号に含まれる雑音を低減することを目的とする。
【課題を解決するための手段】
【０００６】
本開示は、筐体と、主マイクロホンと、参照マイクロホンと、第１の遮蔽部材と、第２の遮蔽部材と、第３の遮蔽部材と、を備える収音装置である。筐体は、音孔を有する。主マイクロホンは、筐体の内部に配置され、音孔を介して筐体の外部からの音圧を受け、第１の音声信号を生成する。参照マイクロホンは、筐体の内部であって、主マイクロホンの近傍に配置され、第２の音声信号を生成する。第1の遮蔽部材は、筐体の内部と主マイクロホンの内部とを遮断する。第２の遮蔽部材は、筐体の外部と参照マイクロホンの内部とを遮断する。第３の遮蔽部材は、筐体の内部と参照マイクロホンの内部とを遮断する。
【０００７】
また本開示は、撮像部と、収音装置と、制御部と、を備えた撮像装置である。撮像部は、被写体を撮像して画像信号を生成する。収音装置は、筐体と、主マイクロホンと、参照マイクロホンと、第１の遮蔽部材と、第２の遮蔽部材と、第３の遮蔽部材と、を有する。筐体は、音孔を有する。主マイクロホンは、筐体の内部に配置され、音孔を介して筐体の外部からの音圧を受け、第１の音声信号を生成する。参照マイクロホンは、筐体の内部であって、主マイクロホンの近傍に配置され、第２の音声信号を生成する。第1の遮蔽部材は、筐体の内部と主マイクロホンの内部とを遮断する。第２の遮蔽部材は、筐体の外部と参照マイクロホンの内部とを遮断する。第３の遮蔽部材は、筐体の内部と参照マイクロホンの内部とを遮断する。制御部は、画像信号を、音声信号とともに所定の記録媒体に記録する。
【発明の効果】
【０００８】
本開示の収音装置によれば、電子機器の外部の音声を収音して音声信号を生成する際に、音声信号に含まれる雑音を低減できる。
【図面の簡単な説明】
【０００９】
【図１】図１は、本開示の収音装置を備えた撮像装置の構成を示す図である。
【図２Ａ】図２Ａは、本開示の撮像装置における主マイクロホン及び参照マイクロホンの位置を示す図である。
【図２Ｂ】図２Ｂは、本開示の撮像装置における主マイクロホン及び参照マイクロホンの位置を示す図である。
【図３】図３は、本開示の主マイクロホンの構成を示す斜視図である。
【図４】図４は、図３の４−４線における主マイクロホンの断面を模式的に示す図である。
【図５】図５は、本開示の主マイクロホン及び参照マイクロホンの配置構成を説明する図である。
【図６】図６は、デジタル画像・音声処理部における雑音抑圧機能に関する構成を説明する図である。
【図７】図７は、本開示の変形例１における主マイクロホン及び参照マイクの配置構成を示す図である。
【図８】図８は、本開示の変形例２における主マイクロホン及び参照マイクの配置構成を示す図である。
【図９】図９は、本開示の変形例３における主マイクロホン及び参照マイクの配置構成を示す図である。
【図１０】図１０は、本開示の変形例４における主マイクロホン及び参照マイクの配置構成を示す図である。
【図１１】図１１は、本開示の変形例５における主マイクロホン及び参照マイクの配置構成を示す図である。
【図１２】図１２は、本開示および比較例における参照マイクロホンの配置構成の対比表を示す図である。
【図１３】図１３は、種々の参照マイクロホンの配置構成における雑音レベルの測定結果を示す図である。
【図１４】図１４は、比較例１の撮像装置における主マイクロホン及び参照マイクロホンの位置を示す図である。
【図１５】図１５は、比較例２における主マイクロホン及び参照マイクの配置構成を示す図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するのであって、これらによって特許請求の範囲に記載の主題を限定することを意図するものではない。
【００１２】
（実施の形態１）
以下、図面を用いて、実施の形態１を説明する。
【００１３】
実施の形態１では、撮像装置の一実施の形態として、音声信号を出力できるデジタルカメラを例に挙げる。このデジタルカメラの仕様は、防塵防滴仕様である。つまりデジタルカメラの構造は、全体として密閉構造になっている。そのため、デジタルカメラの内部で発生した雑音は、外部への逃げ道が少なく、篭り易い。またデジタルカメラの解像度が高くなると、撮影された画像は、手振れによる影響を受けやすい。したがって、デジタルカメラに高性能の手振れ補正機構を搭載することが望ましいが、手振れ補正機構の駆動による雑音が発生しやすくなる。すなわち、防塵防滴仕様で、かつ高解像度のデジタルカメラにおいては、デジタルカメラ内部で雑音がより発生しやすく、さらに雑音が篭り易いという課題がある。実施の形態１では、主マイクロホンで収音された音声信号に含まれる雑音を、参照マイクロホンを用いて抑制できる。
【００１４】
［１−１．構成］
［１−１−１．全体構成］
図１は、本開示に係る収音装置を備えた撮像装置の一実施の形態であるデジタルカメラ１００の構成を示す図である。デジタルカメラ１００は、被写体を撮像して画像データ（静止画、動画）を生成して記録媒体に記録する。デジタルカメラ１００は、カメラボディ１０２と、カメラボディ１０２に装着される交換レンズ３０１とで構成される。デジタルカメラ１００は、動画の撮影中、音声も入力し、画像データとともに音声データを記録媒体に記録することができる。
【００１５】
［１−１−２．交換レンズの構成］
交換レンズ３０１は、フォーカスレンズ３１０、補正レンズ３１８およびズームレンズ３１２を含む光学系を有する。交換レンズ３０１はさらに、レンズコントローラ３２０、レンズマウント３３０、フォーカスレンズ駆動部３１１、ズームレンズ駆動部３１３、絞り３１６、絞り駆動部３１７、操作リング３１５、Ｏｐｔｉｃａｌ  Ｉｍａｇｅ  Ｓｔａｂｉｌｉｚｅｒ：ＯＩＳ駆動部３１９、Ｄｙｎａｍｉｃ  Ｒａｎｄｏｍ  Ａｃｃｅｓｓ  Ｍｅｍｏｒｙ：ＤＲＡＭ３２１、フラッシュメモリ３２２等を備えている。
【００１６】
レンズコントローラ３２０は、交換レンズ３０１全体の動作を制御する。レンズコントローラ３２０は、操作リング３１５のユーザによる操作を受け付けて、ズームレンズ３１２を駆動させるよう、ズームレンズ駆動部３１３を制御することができる。レンズコントローラ３２０は、フォーカスレンズ３１０、補正レンズ３１８及び絞り３１６を駆動させるように、フォーカスレンズ駆動部３１１、ＯＩＳ駆動部３１９、及び絞り駆動部３１７をそれぞれ制御することができる。
【００１７】
ＯＩＳ駆動部３１９は、例えば、マグネットと平板コイルとで構成される駆動機構を備える。ＯＩＳ駆動部３１９は、交換レンズ３０１のぶれを検出するジャイロセンサの検出信号に基づき駆動機構を制御して、交換レンズ３０１のぶれに応じて光学系の光軸に垂直な面内で補正レンズ３１８をシフトさせる。これにより、撮像画像中における手振れによるぶれの影響を低減する。
【００１８】
レンズコントローラ３２０は、ＤＲＡＭ３２１やフラッシュメモリ３２２に接続されており、必要に応じてそれらのメモリに情報を書き込んだり、読み出したりすることができる。また、レンズコントローラ３２０は、レンズマウント３３０を介して、コントローラ１３０と通信することができる。尚、レンズコントローラ３２０は、ハードワイヤードな電子回路で構成してもよいし、プログラムを用いたマイクロコンピュータなどで構成してもよい。
【００１９】
レンズマウント３３０は、カメラボディ１０２のボディマウント３４０と接続され、交換レンズ３０１およびカメラボディ１０２を機械的および電気的に接続する。交換レンズ３０１とカメラボディ１０２とが接続されると、レンズコントローラ３２０と、コントローラ１３０とは通信可能な状態となる。ボディマウント３４０は、レンズマウント３３０を介してレンズコントローラ３２０から受信した信号をカメラボディ１０２のコントローラ１３０に送信することができる。
【００２０】
［１−１−３．カメラボディの構成］
カメラボディ１０２は、Ｃｈａｒｇｅ  Ｃｏｕｐｌｅｄ  Ｄｅｖｉｃｅ：ＣＣＤイメージセンサ１４３およびＡＦＥ（アナログ・フロント・エンド）１４４を含む。
【００２１】
ＣＣＤイメージセンサ１４３は、交換レンズ３０１を通して形成された被写体像を撮像して画像情報を生成する。なお、画像センサとして他の種類の画像センサ（例えば、Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳイメージセンサ）を用いてもよい。
【００２２】
ＡＦＥ１４４は、ＣＣＤイメージセンサ１４３から読み出した画像情報に対して相関二重サンプリングによる雑音抑圧、アナログゲインコントローラによるＡ／Ｄ変換器の入力レンジ幅への増幅、Ａ／Ｄ変換器によるＡ／Ｄ変換を実施する。
【００２３】
カメラボディ１０２はさらに、音声入力部１１１およびアナログ音声処理部１１５を備える。音声入力部１１１は、左右それぞれの方向からの主音声（記録対象の音声）を別々に収音するために２つの主マイクロホン（主マイクロホン１１１Ｒ、主マイクロホン１１１Ｌ）を含む。なお、実施の形態１では、第１の方向の一例を左方向とし、第２の方向の一例を右方向とする。また第１の主マイクロホンを主マイクロホン１１１Ｒとし、第２の主マイクロホンを主マイクロホン１１１Ｌとする。
【００２４】
さらに、音声入力部１１１は、カメラボディ１０２の内部の雑音の情報を取得する参照マイクロホン１１１Ｎを含む。すなわち、参照マイクロホン１１１Ｎは、カメラボディ１０２の振動による雑音及びカメラボディ１０２内部で発生する種々の雑音の少なくとも一方を入力する。参照マイクロホン１１１Ｎにより取得された情報は、主音声に含まれる雑音を抑圧するための信号（雑音成分）を生成するために使用される。
【００２５】
各マイクロホン（主マイクロホン１１１Ｒ、主マイクロホン１１１Ｌ、及び参照マイクロホン１１１Ｎ）は、音声信号を電気信号（アナログ音声信号）に変換する。各マイクロホン（主マイクロホン１１１Ｒ、主マイクロホン１１１Ｌ、及び参照マイクロホン１１１Ｎ）からのアナログ音声信号はアナログ音声処理部１１５に入力される。
【００２６】
アナログ音声処理部１１５は、アナログ音声信号に所定の信号処理を施す。アナログ音声処理部１１５は、処理したアナログ音声信号をＡ／Ｄ変換器によりデジタル音声信号に変換し、デジタル音声信号をデジタル画像・音声処理部１２０に出力する。アナログ音声処理部１１５は音声信号処理装置の一例である。アナログ音声処理部１１５は、アナログ回路を含む電子回路で構成され、１つまたは複数の半導体集積回路で構成される。アナログ音声処理部１１５は、自動レベル制御（Ａｕｔｏｍａｔｉｃ  Ｌｅｖｅｌ  Ｃｏｎｔｒｏｌ：ＡＬＣ）機能を有する。自動レベル制御機能は、入力したアナログ音声信号のレベルによらず、出力するデジタル音声信号のレベルが予め定められた上限閾値を超えないようにゲインを自動的に調整する機能である。
【００２７】
デジタル画像・音声処理部１２０は、ＡＦＥ１４４から出力された画像情報及びアナログ音声処理部１１５から出力された音声信号に対して各種の処理を施す。例えば、デジタル画像・音声処理部１２０は、コントローラ１３０からの指示に従って、画像情報に対してガンマ補正やホワイトバランス補正、傷補正、符号化処理等を行う。また、デジタル画像・音声処理部１２０は、コントローラ１３０からの指示に従って、音声信号に対する各種処理を行う。デジタル画像・音声処理部１２０は、ハードワイヤードな電子回路で実現してもよいし、プログラムを実行するマイクロコンピュータなどで実現してもよい。デジタル画像・音声処理部１２０は、コントローラ１３０などと一体的に１つの半導体チップとして実現してもよい。例えば、デジタル画像・音声処理部１２０は、ＣＰＵ（Ｃｅｎｔｒａｌ  Ｐｒｏｃｅｓｓｉｎｇ  Ｕｎｉｔ）、ＦＰＧＡ（Ｆｉｅｌｄ‐Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）等で構成できる。
【００２８】
デジタル画像・音声処理部１２０は、音声入力部１１１の出力である音声信号を演算処理して、指向性合成処理や雑音抑圧処理を行う。デジタル画像・音声処理部１２０を実現する回路は、１つまたは複数の半導体集積回路に集積されてもよい。
【００２９】
表示部１９０は、デジタルカメラ１００の背面に配置される。表示部１９０は、液晶ディスプレイや有機ＥＬディスプレイで構成することができる。表示部１９０は、デジタル画像・音声処理部１２０にて処理された画像情報に基づく画像を表示する。
【００３０】
コントローラ１３０は、デジタルカメラ１００全体の動作を統括制御する。コントローラ１３０は、ハードワイヤードな電子回路で実現してもよいし、プログラムを実行するマイクロコンピュータなどで実現してもよい。また、コントローラ１３０は、デジタル画像・音声処理部１２０などと一体的に１つの半導体チップとして実現してもよい。また、Ｒｅａｄ  Ｏｎｌｙ  Ｍｅｍｏｒｙ：ＲＯＭ１７０は、コントローラ１３０の外部に（コントローラ１３０とは別体として）存在している必要はなく、コントローラ１３０の内部に組み込まれていてもよい。例えば、コントローラ１３０は、ＣＰＵ、ＦＰＧＡ、ＡＳＩＣ、ＤＳＰ等で構成できる。
【００３１】
ＲＯＭ１７０は、コントローラ１３０が実行するための、オートフォーカス制御（Ａｕｔｏｍａｔｉｃ  Ｆｏｃｕｓ：ＡＦ制御）や自動露出制御（Ａｕｔｏｍａｔｉｃ  Ｅｘｐｏｓｕｒｅ：ＡＥ制御）、ストロボの発光制御などに関するプログラムの他、デジタルカメラ１００全体の動作を統括制御するためのプログラムを格納している。ＲＯＭ１７０は、デジタルカメラ１００に関する各種条件および設定を記憶する。なお、実施の形態１では、ＲＯＭ１７０は、フラッシュＲＯＭである。
【００３２】
Ｒａｎｄｏｍ  Ａｃｃｅｓｓ  Ｍｅｍｏｒｙ：ＲＡＭ１５０は、デジタル画像・音声処理部１２０およびコントローラ１３０のワークメモリとして機能する。ＲＡＭ１５０は、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）やフラッシュメモリなどで実現できる。ＲＡＭ１５０は、画像情報および音声信号などを記録するための内部メモリとしても機能する。
【００３３】
外部記憶媒体１６０は、内部にフラッシュメモリ等の不揮発性の記憶素子を備えたメモリデバイスである。外部記憶媒体１６０はカメラボディ１０２に対して着脱可能である。外部記憶媒体１６０は、コントローラ１３０の制御にしたがい、デジタル画像・音声処理部１２０で処理される画像及び音声のデータを記録する。
【００３４】
操作部１８０は、デジタルカメラ１００の外装に配置される操作釦や操作ダイヤルなどの操作インターフェースの総称である。操作部１８０は、ユーザによる操作を受け付ける。例えば、操作部１８０は、デジタルカメラ１００の上面に設けられたレリーズ釦、電源スイッチ、モードダイヤルや、デジタルカメラ１００の背面に設けられた中央釦、十字釦、タッチパネルなどを含む。操作部１８０は、ユーザによる操作を受け付けると、コントローラ１３０に種々の動作を指示する信号を通知する。
【００３５】
また、カメラボディ１０２は、カメラボディ１０２のぶれに応じてＣＣＤ１４３をシフトさせることで、撮像画像中における、手振れによるぶれの影響を低減する。この機能を実現する構成として、カメラボディ１０２は、カメラボディ１０２のぶれに基づきＣＣＤ１４３を移動させるＢｏｄｙ  Ｉｍａｇｅ  Ｓｔａｂｉｌｉｚｅｒ：ＢＩＳ駆動部１８１を備える。ＢＩＳ駆動部１８１は、例えば、マグネットと平板コイルとで構成される駆動機構を含む。ＢＩＳ駆動部１８１は、ジャイロセンサ及び位置センサからの信号に基づき駆動機構を制御して、カメラボディ１０２のぶれを相殺するようにＣＣＤ１４３を光軸に垂直な面内でシフトさせる。
【００３６】
［１−１−４．マイクロホンの構成］
主マイクロホン１１１Ｒ、主マイクロホン１１１Ｌ、及び参照マイクロホン１１１Ｎは、図２Ａ及び図２Ｂに示すカメラボディ１０２の内部に配置されている。カメラボディ１０２における主マイクロホン１１１Ｒ、主マイクロホン１１１Ｌ、及び参照マイクロホン１１１Ｎの位置及び詳細な配置構成については後述する。以下、主マイクロホン１１１Ｒの構成について説明する。主マイクロホン１１１Ｌ及び参照マイクロホン１１１Ｎの構成は主マイクロホン１１１Ｒと同様であるため、説明を省略する。
【００３７】
主マイクロホン１１１Ｒの形状は、図３に示すように、円柱形状である。主マイクロホン１１１Ｒは、図４に示すように、ケース４０１と、振動膜４０２と、振動膜リング４０３と、スペーサ４０４と、背極板４０５と、電極４０６と、絶縁体４０７と、プリント基板４０８と、Ｆｉｅｌｄ  Ｅｆｆｅｃｔ  Ｔｒａｎｓｉｓｔｏｒ：ＦＥＴ４０９と、を備えている。
【００３８】
ケース４０１は、主マイクロホン１１１Ｒの外装部の一部を構成する。ケース４０１のプリント基板４０８と反対側の面には、音孔４１０が形成されている。ケース４０１の材料は、金属である。ケース４０１の材料は、特にＳＵＳ（Ｓｔｅｅｌ  Ｕｓｅ  Ｓｔａｉｎｌｅｓｓ）或いはアルミニウム等である。
【００３９】
振動膜４０２の形状は、円板形状である。振動膜４０２は、ポリエステルテレフタレート（ＰＥＴ）などの高分子材料からなる厚さ数ミクロン〜数十ミクロン程度の薄膜の表面に、スパッタや蒸着により金やニッケルなどの金属がコーティングされたものである。振動膜４０２は、ケース４０１の内部に配置されている。振動膜４０２は、リング状の振動膜リング４０３に接着され、太鼓の膜のようにピンと張っている。振動膜リング４０３の材料は、金属であり、例えばＳＵＳや真鍮である。振動膜４０２及び振動膜リング４０３は、ケース４０１との接触によりケース４０１と同電位になっている。
【００４０】
スペーサ４０４の形状はリング状である。スペーサ４０４の厚みは数ミクロン〜数十ミクロン程度である。スペーサ４０４の材料はポリイミドのような絶縁性物質である。
【００４１】
背極板４０５の形状は、円板形状である。背極板４０５は、ＳＵＳや真鍮などの金属製の基材に、ＦＥＰ（テトラフルオロエチレン・ヘキサフルオロプロピレン共重合体）などのエレクトレット材をコーティングした板である。エレクトレット材とは、電荷を半永久的に保持する高分子材料である。これにより背極板４０５は電荷を保持する。背極板４０５は、空気を通すための幾つかの孔を有する。背極板４０５は、スペーサ４０４を介し振動膜４０２と対向する。すなわち背極板４０５と振動膜４０２との距離は、スペーサ４０４の厚みとほぼ同じである。
【００４２】
電極４０６の形状は、たとえばパイプ形状、すなわち円筒形状である。電極４０６は、背極板４０５とプリント基板４０８との間に配置される。電極４０６は、背極板４０５とプリント基板４０８とを電気的に接続する。
【００４３】
絶縁体４０７の形状は、たとえばパイプ形状である。絶縁体４０７は、背極板４０５及び電極４０６とケース４０１との間に配置される。絶縁体４０７は、背極板４０５及び電極４０６がケース４０１と導通することを防ぐ。
【００４４】
プリント基板４０８は、主マイクロホン１１１Ｒの外装部の一部を構成する。プリント基板４０８は、電極４０６を介して背極板４０５と電気的に接続される。またプリント基板４０８は、ＦＥＴ４０９などのチップ部品が面実装される。プリント基板４０８の外側、すなわち図４の紙面上で下側の面上には、端子を有する。この端子から主マイクロホン１１１Ｒの電気出力を取り出すことができる。
【００４５】
なお、ケース４０１の一端は、プリント基板４０８の下側に回り込んでかしめられている。すなわちケース４０１の一端は、プリント基板４０８とケース４０１との間に隙間が無いように封をしている。また、このケース４０１の一端により、ケース４０１とプリント基板４０８とは電気的に接続される。
【００４６】
以下、主マイクロホン１１１Ｒ、主マイクロホン１１１Ｌ、及び参照マイクロホン１１１Ｎの動作について説明する。
【００４７】
ここで、音は空気の粗密波であり、空気の圧力変動である。音が、音孔４１０を通過して振動膜４０２に到来すると、振動膜４０２は圧力を受ける。その圧力に応じて振動膜４０２は変位する。つまり、振動膜４０２と背極板４０５との距離ｄが変化する。その変化量をΔdとする。また振動膜４０２の面積をＳとする。さらに背極板４０５が保持する電荷の量をＱとする。対向する振動膜４０２と背極板４０５とはコンデンサを形成する。そのコンデンサの容量をＣ、また、誘電率をεとすると、以下の数式１が成立する。
【００４８】
【数１】
2018042228.tif 000003
【００４９】
また、振動膜４０２と背極板４０５とがなす電位をＶとすると、クーロンの法則より、以下の数式２が成立する。
【００５０】
【数２】
2018042228.tif 000004
【００５１】
以上の数式１と数式２から、以下の数式３が成立する。
【００５２】
【数３】
2018042228.tif 000005
【００５３】
音により振動膜４０２が変位して、振動膜４０２と背極板４０５との距離がΔd変化したときの電位の変化ΔＶは、以下の数式４で表される。
【００５４】
【数４】
2018042228.tif 000006
【００５５】
数式４は、音による振動膜４０２の変位が、電位の変化として取りだせることを示す。
【００５６】
なお、振動膜４０２と背極板４０５とで形成されるコンデンサの容量Ｃは数ｐＦ〜十数ｐＦであり、インピーダンスが高い。したがって、プリント基板４０８に実装されるＦＥＴ４０９は、このインピーダンスを変換するために使われる。
【００５７】
［１−１−５．マイクロホンの配置］
図２Ａ及び図２Ｂは、デジタルカメラ１００における主マイクロホン１１１Ｒ、主マイクロホン１１１Ｌ、及び参照マイクロホン１１１Ｎの位置を示す図である。主マイクロホン１１１Ｒ、主マイクロホン１１１Ｌ、及び参照マイクロホン１１１Ｎは、カメラボディ１０２の内部すなわちケース１０５の内側において、カメラボディ１０２の上部の領域に配置される。主マイクロホン１１１Ｒが配置される領域は、点線で表された領域１１２Ｒである。主マイクロホン１１１Ｌが配置される領域は、領域１１２Ｌである。参照マイクロホン１１１Ｎが配置される領域は、領域１１２Ｎである。
【００５８】
主マイクロホン１１１Ｌと主マイクロホン１１１Ｒとは、カメラボディ１０２の長手方向に所定距離（例えば、１５ｍｍ程度）だけ離して並べて配置される。カメラボディ１０２の長手方向とは、図２Ａの紙面上における左右方向である。
【００５９】
参照マイクロホン１１１Ｎは、主マイクロホン１１１Ｒ及び主マイクロホン１１１Ｌの近傍に配置される。また参照マイクロホン１１１Ｎは、主マイクロホン１１１Ｒ及び主マイクロホン１１１Ｌのそれぞれからの距離が等しくなるような位置に配置される。これにより、１つの参照マイクロホン１１１Ｎを用いて、左右のチャンネルの主音声信号に対する雑音抑圧処理が可能となる。具体的には、参照マイクロホン１１１Ｎは、主マイクロホン１１１Ｒ及び主マイクロホン１１１Ｌのそれぞれからの距離が５ｍｍ以上５０ｍｍ以下（例えば、１０ｍｍ）となる位置に配置される。
【００６０】
図５は、主マイクロホン１１１Ｒと参照マイクロホン１１１Ｎのカメラボディ１０２内部での配置構成を説明する図である。図５は、図２Ｂの５−５線における断面を模式的に示している。なお、図５では主マイクロホン１１１Ｒのみ示しているが、主マイクロホン１１１Ｌも主マイクロホン１１１Ｒと同様に配置されている。
【００６１】
図５に示すように、主マイクロホン１１１Ｒは、固定部材であるゴム部材１１３に外周を覆われている。ゴム部材１１３の形状は、端面を有する円筒形状である。ゴム部材１１３の一端であって、端面と反対側は開口し、この一端から主マイクロホン１１１Ｒが挿入される。ゴム部材１１３の他端（端面）は、主マイクロホン１１１Ｒのケース４０１の面を覆う。ゴム部材１１３の端面は、音孔（開口）１１３Ｈを有する。主マイクロホン１１１Ｒ及び主マイクロホン１１１Ｌは、ゴム部材１１３を弾性変形させることにより、ケース１０５の凹部に圧入され、カメラボディ１０２の内部に固定される。なお、実施の形態１では、主マイクロホン１１１Ｒ及び主マイクロホン１１１Ｌは、ケース４０１の、音孔４１０を有する面が外側（図５の紙面上における上側）に向き、プリント基板４０８がカメラボディ１０２の内側（図５の紙面上における下側）に向くように配置される。
【００６２】
同様に、参照マイクロホン１１１Ｎも、カメラボディ１０２内部において、ゴム部材１１３によりケース１０５の凹部の内側に固定される。また参照マイクロホン１１１Ｎは、主マイクロホン１１１Ｒ及び主マイクロホン１１１Ｌと同じ向きに配置される。つまり参照マイクロホン１１１Ｎは、ケース４０１の、音孔４１０を有する面が外側に向き、プリント基板４０８がカメラボディ１０２の内側に向くように配置される。参照マイクロホン１１１Ｎと、主マイクロホン１１１Ｒ及び主マイクロホン１１１Ｌの向きが同じということは、参照マイクロホン１１１Ｎと、主マイクロホン１１１Ｒ及び主マイクロホン１１１Ｌとの収音の向き、すなわち、それぞれの振動膜４０２が音圧を受ける向きが同じであることを示す。
【００６３】
図２Ｂ及び図５に示すように、ケース１０５において、主マイクロホン１１１Ｒが取り付けられる領域１１２Ｒでは、ケース１０５に、音孔１１４（開口）が設けられている。このケース１０５の音孔１１４と、ゴム部材１１３の音孔１１３Ｈと、主マイクロホン１１１Ｒの音孔４１０とを介して、音（空気の振動）による音圧が主マイクロホン１１１Ｒの振動膜４０２に伝達される。同様に、ケース１０５の領域１１２Ｌにも、音孔１１４が設けられている。この音孔１１４と、ゴム部材１１３の音孔１１３Ｈと、主マイクロホン１１１Ｌの音孔４１０とを介して、音による音圧が主マイクロホン１１１Ｌの振動膜４０２に伝達される。
【００６４】
なお、実施の形態１では、図２Ｂに示すように、主マイクロホン１１１Ｒ及び主マイクロホン１１１Ｌに対してそれぞれ２つの音孔１１４が設けられているが、主マイクロホン１１１Ｒ及び主マイクロホン１１１Ｌに対して１つずつ音孔１１４を設けてもよい。ただし、音孔１１４の数を複数個とすることにより、一部の音孔１１４の機能が損なわれた場合に他の音孔１１４で機能を補完できる。たとえば一部の音孔１１４がユーザに突かれるなどして欠損した場合や、一部の音孔１１４が埃や水滴で詰まった場合など、他の音孔１１４で機能を補完できる。
【００６５】
そして実施の形態１では、図５に示すように、主マイクロホン１１１Ｒの内部とケース１０５の内部の空間とは、主マイクロホン１１１Ｒのプリント基板４０８で遮断されている。すなわち、ケース１０５の内部の音による音圧は、プリント基板４０８によって振動膜４０２へ伝達され難くなっている。同様に、主マイクロホン１１１Ｌの内部とケース１０５の内部とは、主マイクロホン１１１Ｌのプリント基板４０８で遮断されている。このように、実施の形態１では、主マイクロホン１１１Ｒ及び主マイクロホン１１１Ｌのプリント基板４０８が本開示の第１の遮蔽部材に相当する。
【００６６】
一方、実施の形態１では、図２Ｂ及び図５に示すように、参照マイクロホン１１１Ｎが取り付けられる位置に対応する領域１１２Ｎにおいて、ケース１０５に音孔１１４が設けられていない。すなわち、カメラボディ１０２の外部から参照マイクロホン１１１Ｎの内部への音圧の伝達は、ケース１０５の一部分１０５Ｂにより遮蔽される。すなわち、ケース１０５の一部分１０５Ｂは、カメラボディ１０２外部から参照マイクロホン１１１Ｎへの音圧の伝達を遮蔽する遮蔽部材（第２の遮蔽部材）として機能する。このため、カメラボディ１０２の外部からは音（空気の振動）は、参照マイクロホン１１１Ｎに伝達されない。
【００６７】
そして参照マイクロホン１１１Ｎの内部とケース１０５の内部とは、参照マイクロホン１１１Ｎのプリント基板４０８により遮断される。すなわち実施の形態１では、参照マイクロホン１１１Ｎのプリント基板４０８が、本開示の第３の遮蔽部材に相当する。ここで、カメラボディ１０２の内部の雑音（振動）は、ケース１０５及びゴム部材１１３を伝播するが、ケース１０５の一部分１０５Ｂには音孔１１４が無いため逃げ場を失い、最終的に参照マイクロホン１１１Ｎに伝達されてしまう。そのため、参照マイクロホン１１１Ｎは、主マイクロホン１１１Ｒ及び主マイクロホン１１１Ｌよりもケース１０５の内部の雑音が伝達されやすくなる。なお、ケース１０５の一部分１０５Ｂに音孔１１４を設けた場合、本来収音したい外部の音が参照マイクロホン１１１Ｎにも入り込み、後段の雑音抑圧部で雑音のみを抑圧するのが困難であると考えられる。
【００６８】
［１−２．収音装置の動作］
デジタルカメラ１００のデジタル画像・音声処理部１２０における音声信号に対する雑音抑圧処理について説明する。デジタル画像・音声処理部１２０は、参照マイクロホン１１１Ｎから入力された信号に基づき雑音抑圧処理を実行する。
【００６９】
主マイクロホン１１１Ｒ及び主マイクロホン１１１Ｌは、デジタルカメラ１００の外部の主音声を入力し、第１の音声信号としての電気信号（以下「主音声信号」という）に変換する。参照マイクロホン１１１Ｎは、デジタルカメラ１００の内部の雑音を入力し、第２の音声信号としての電気信号（以下「雑音信号」という）に変換する。
【００７０】
アナログ音声処理部１１５は、主マイクロホン１１１Ｒ及び主マイクロホン１１１Ｌから主音声信号を入力し、参照マイクロホン１１１Ｎから雑音信号を入力し、所定の処理を施し、デジタル画像・音声処理部１２０に出力する。デジタル画像・音声処理部１２０は、雑音信号をフィルタリングして雑音成分を生成し、主音声信号から雑音成分を減算する。これによりデジタル画像・音声処理部１２０は、雑音が抑圧された音声信号を生成する。
【００７１】
図６は、デジタル画像・音声処理部１２０における、音声信号に対する雑音抑圧処理を実現するための主要な構成を示す図である。図６では、説明の便宜上、左右にある２つの主マイクロホン１１１Ｒ及び主マイクロホン１１１Ｌのうちの一方のマイクロホン（主マイクロホン１１１Ｌ）からの音声信号に対する構成を示している。すなわち、デジタル画像・音声処理部１２０は、各チャンネルについて、図６に示す構成を有する。以下では、一方のチャンネルのマイクロホン（主マイクロホン１１１Ｌ）からの音声信号に対する雑音抑圧に関する構成、動作について説明するが、他方のチャンネルのマイクロホン（主マイクロホン１１１Ｒ）についても同様である。
【００７２】
デジタル画像・音声処理部１２０は、適応フィルタ１１７ａと、係数設定部１１７ｂと、減算器１１７ｃとを備える。
【００７３】
係数設定部１１７ｂは、雑音信号等にしたがい、適応フィルタ１１７ａのフィルタ係数を設定する。適応フィルタ１１７ａは、係数設定部１１７ｂにより設定されたフィルタ係数にしたがい、参照マイクロホン１１１Ｎからの出力信号（雑音信号）をフィルタリングし、主マイクロホン１１１Ｌで収音された音声信号（主音声信号）に含まれると推定される雑音成分を生成する。減算器１１７ｃは、主マイクロホン１１１Ｌで収音された音声信号（主音声信号）から、適応フィルタ１１７ａから出力された雑音成分を減算する。これにより雑音が抑圧された音声信号が生成される。
【００７４】
図６において、デジタル画像・音声処理部１２０における雑音抑圧機能に関する伝達関数を次のように定義する。主マイクロホン１１１Ｒ及び主マイクロホン１１１Ｌで入力する主音声信号をＳ（ω，ｔ）、参照マイクロホン１１１Ｎで入力する雑音信号をＮ（ω，ｔ）とする。雑音信号には、カメラボディ１０２内で生成される種々の雑音による信号が含まれる。例えば、雑音信号が示す雑音には、ＢＩＳ駆動部１８１がＣＣＤ１４３を駆動する際の駆動機構の駆動音が含まれる。
【００７５】
主マイクロホン１１１Ｒ及び主マイクロホン１１１Ｌにおける主音声信号Ｓ（ω，ｔ）に対する伝達関数をＨＳＭ（ω，ｔ）とする。主マイクロホン１１１Ｒ及び主マイクロホン１１１Ｌにおける雑音信号Ｎ（ω，ｔ）に対する伝達関数をＨＮＭ（ω，ｔ）とする。参照マイクロホン１１１Ｎにおける雑音信号Ｎ（ω，ｔ）に対する伝達関数をＨＮＲ（ω，ｔ）とする。このように定義した場合、主マイクロホン１１１Ｒ及び主マイクロホン１１１Ｌの出力信号Ｍ（ω，ｔ）及び参照マイクロホン１１１Ｎの出力信号Ｒ（ω，ｔ）はそれぞれ次の数式（５）及び数式（６）で得られる。
【００７６】
Ｍ（ω，ｔ）＝ＨＳＭ（ω，ｔ）・Ｓ（ω，ｔ）＋ＨＮＭ（ω，ｔ）・Ｎ（ω，ｔ）・・・（式５）
Ｒ（ω，ｔ）＝ＨＮＲ（ω，ｔ）・Ｎ（ω，ｔ）・・・（式６）
ここで、参照マイクロホン１１１Ｎの出力信号Ｒ（ω，ｔ）に含まれる主音声信号に対する信号成分は無視できるほど小さいとしている。
【００７７】
主マイクロホン１１１Ｒ及び主マイクロホン１１１Ｌの出力信号Ｍ（ω，ｔ）において、雑音成分はＨＮＭ（ω，ｔ）・Ｎ（ω，ｔ）である。よって、この雑音成分はＨＮＭ（ω，ｔ）・Ｎ（ω，ｔ）を推定し、出力信号Ｍ（ω，ｔ）から減算することで、雑音を抑圧した音声信号を得ることができる。
【００７８】
このため、デジタル画像・音声処理部１２０において、係数設定部１１７ｂは、主マイクロホン１１１Ｒ及び主マイクロホン１１１Ｌの出力信号Ｍ（ω，ｔ）と、参照マイクロホン１１１Ｎの出力信号Ｒ（ω，ｔ）とを入力し、それらを比較して、雑音成分を推定し、推定した雑音成分（ＨＥＮＭ（ω，ｔ）・Ｎ（ω，ｔ））にしたがい適応フィルタ１１７ａのフィルタ係数を設定する。適応フィルタ１１７ａは、出力信号Ｒ（ω，ｔ）から、雑音成分（ＨＥＮＭ（ω，ｔ）・Ｎ（ω，ｔ））を生成し、出力する。減算器１１７ｃは、出力信号Ｍ（ω，ｔ）から、適応フィルタ１１７ａの出力信号（ＨＥＮＭ（ω，ｔ）・Ｎ（ω，ｔ））を減算する。これにより、アナログ音声処理部１１５から雑音が抑圧された音声信号が出力される。
【００７９】
［１−３．マイクロホンの配置の変形例］
実施の形態１では、図５に示すように参照マイクロホン１１１Ｎを配置したが、その他種々の配置構成が挙げられる。以下、実施の形態１の変形例について、図７〜図１１を用いて説明する。図１２は、図５に示す実施の形態１及び以下の変形例で示す参照マイクロホンの配置構成の対比表を示す図である。なお、以下の変形例において、主マイクロホン１１１Ｒ（主マイクロホン１１１Ｌ）の配置構成については、図５と同様であるため、説明を省略する。
【００８０】
（変形例１）
変形例１では、図７に示すように、参照マイクロホン１１１Ｎを固定するためのゴム部材１１３は音孔１１３Ｈを有していない。また図７の紙面上において、参照マイクロホン１１１Ｎの上方では、ケース１０５に音孔１１４が形成されている。この場合、ゴム部材１１３の一部分１１３Ｂが、ケース１０５の外部と参照マイクロホン１１１Ｎの内部とを遮断する。そして参照マイクロホン１１１Ｎのプリント基板４０８は、ケース１０５の内部と参照マイクロホン１１１Ｎの内部とを遮断する。
【００８１】
すなわち変形例１では、ゴム部材１１３が第２の遮蔽部材に相当し、プリント基板４０８が第３の遮蔽部材に相当する。
【００８２】
この配置構成によれば、ケース１０５に音孔１１４が形成されていても、実施の形態１と同様に雑音成分を抑制できる。
【００８３】
（変形例２）
変形例２では、図８に示すように、参照マイクロホン１１１Ｎを固定するためのゴム部材１１３は音孔１１３Ｈを有していない。さらに参照マイクロホン１１１Ｎの上方では、ケース１０５に音孔１１４が形成されていない。この場合、ケース１０５及びゴム部材１１３が、ケース１０５の外部と参照マイクロホン１１１Ｎの内部とを遮断する。そして参照マイクロホン１１１Ｎのプリント基板４０８は、ケース１０５の内部と参照マイクロホン１１１Ｎの内部とを遮断する。
【００８４】
すなわち変形例２では、ケース１０５及びゴム部材１１３が第２の遮蔽部材に相当し、プリント基板４０８が第３の遮蔽部材に相当する。
【００８５】
（変形例３）
変形例３では、図９に示すように、参照マイクロホン１１１Ｎを、主マイクロホン１１１Ｒと１８０度異なる向きに配置している。すなわちケース１０５の直下には、参照マイクロホン１１１Ｎのプリント基板４０８が配置される。また変形例３では、参照マイクロホン１１１Ｎを固定するゴム部材１１３には音孔１１３Ｈが形成されていない。さらに参照マイクロホン１１１Ｎの上方では、ケース１０５に音孔１１４が形成されていない。この場合、ケース１０５及びプリント基板４０８が、ケース１０５の外部と参照マイクロホン１１１Ｎの内部とを遮断する。そしてゴム部材１１３は、ケース１０５の内部と参照マイクロホン１１１Ｎの内部とを遮断する。
【００８６】
すなわち変形例３では、ケース１０５及びプリント基板４０８が第２の遮蔽部材に相当し、ゴム部材１１３が第３の遮蔽部材に相当する。
【００８７】
（変形例４）
変形例４では、図１０に示すように、参照マイクロホン１１１Ｎを、主マイクロホン１１１Ｒと１８０度異なる向きに配置している。すなわちケース１０５の直下には、参照マイクロホン１１１Ｎのプリント基板４０８が配置される。また変形例４では、参照マイクロホン１１１Ｎを固定するゴム部材１１３には音孔１１３Ｈが形成されていない。参照マイクロホン１１１Ｎの上方では、ケース１０５に音孔１１４が形成されている。この場合、プリント基板４０８が、ケース１０５の外部と参照マイクロホン１１１Ｎの内部とを遮断する。そしてゴム部材１１３は、ケース１０５の内部と参照マイクロホン１１１Ｎの内部とを遮断する。
【００８８】
すなわち変形例４では、プリント基板４０８が第２の遮蔽部材に相当し、ゴム部材１１３が第３の遮蔽部材に相当する。
【００８９】
（変形例５）
変形例５では、図１１に示すように、参照マイクロホン１１１Ｎを、主マイクロホン１１１Ｒと９０度異なる向きに配置している。また変形例５では、ゴム部材１１３には音孔１１３Ｈが形成されている。さらに参照マイクロホン１１１Ｎの上方では、ケース１０５に音孔１１４が形成されていない。この場合、ケース１０５、ゴム部材１１３、及び参照マイクロホン１１１Ｎのケース４０１が、ケース１０５の外部と参照マイクロホン１１１Ｎの内部とを遮断する。そしてゴム部材１１３及び参照マイクロホン１１１Ｎのケース４０１は、ケース１０５の内部と参照マイクロホン１１１Ｎの内部とを遮断する。
【００９０】
すなわち変形例４では、ケース１０５、ゴム部材１１３、及び参照マイクロホン１１１Ｎのケース４０１が第２の遮蔽部材に相当し、ゴム部材１１３及び参照マイクロホン１１１Ｎのケース４０１が第３の遮蔽部材に相当する。
【００９１】
［１−４．実験結果］
図１３は、種々の参照マイクロホン１１１Ｎの配置構成における雑音レベルの測定結果を示す図である。図１３の横軸は、収音装置で収音された音声信号の周波数（Ｈｚ）を示し、縦軸はその音声信号のレベル（ｄＢ）を示す。
【００９２】
図１３において、二点鎖線で示す曲線Ｓは、デジタル画像・音声処理部１２０で上述の雑音抑制処理を施さなかった場合の、主マイクロホン１１１Ｒ及び主マイクロホン１１１Ｌで収音された音声信号の波形を示す。
【００９３】
図１３において、実線で示す曲線（実施の形態１）は、実施の形態１として図５に示すように主マイクロホン１１１Ｒ（主マイクロホン１１１Ｌ）及び参照マイクロホン１１１Ｎが配置された収音装置から出力された音声信号の波形を示す。
【００９４】
図１３において、点線で示す曲線（変形例４）は、変形例４として図１０に示すように主マイクロホン１１１Ｒ（主マイクロホン１１１Ｌ）及び参照マイクロホン１１１Ｎが配置された収音装置から出力された音声信号の波形を示す。
【００９５】
図１３において、鎖線で示す曲線（比較例１）は、参照マイクロホン１１１Ｎを、主マイクロホン１１１Ｒ及び主マイクロホン１１１Ｌから離間して配置した場合の、収音装置から出力された音声信号の波形を示す。比較例１では、図１４に示すように、主マイクロホン１１１Ｒと主マイクロホン１１１Ｌの間隔は、実施の形態１と同様に１５ｍｍである。しかし比較例１では、実施の形態１と異なり、参照マイクロホン１１１Ｎを、雑音源の近傍に配置している。具体的には、図１４に示すように、参照マイクロホン１１１Ｎを、カメラボディ１０２内部において、雑音源であるＢＩＳ駆動部１８１の近傍の領域１１２Ｐに配置した。
【００９６】
図１３において、一点鎖線で示す曲線（比較例２）は、参照マイクロホン１１１Ｎを、図１５に示すように配置した場合の、収音装置から出力された音声信号の波形を示す。比較例２では、図１５に示すように、参照マイクロホン１１１Ｎを、主マイクロホン１１１Ｒと１８０度異なる向きに配置している。また比較例２では、ゴム部材１１３には音孔１１３Ｈが形成されている。さらに参照マイクロホン１１１Ｎの上方では、ケース１０５に音孔１１４が形成されていない。この場合、ケース１０５及び参照マイクロホン１１１Ｎのプリント基板４０８が、ケース１０５の外部と参照マイクロホン１１１Ｎの内部とを遮断する。そしてゴム部材１１３には音孔１１３Ｈがあるため、ケース１０５の内部と参照マイクロホン１１１Ｎの内部とは連通し、遮断されない。
【００９７】
すなわち比較例２では、ケース１０５及び参照マイクロホン１１１Ｎのプリント基板４０８が第２の遮蔽部材に相当するが、第３の遮蔽部材に相当する部材を有さない。なお、図１２には、比較例２における参照マイクロホンの配置構成についても記載している。
【００９８】
図１３に示す結果から、比較例１と実施の形態１とを比較すると、実施の形態１のように参照マイクロホン１１１Ｎを主マイクロホン１１１Ｌ及び主マイクロホン１１１Ｒの近傍位置１１２Ｎに配置した場合（実施の形態１）の方が、参照マイクロホン１１１Ｎを雑音源の近傍位置の領域１１２Ｐに配置した場合（比較例１）よりも、より高い雑音抑圧効果が得られることが分かる。
【００９９】
また、図１３において、比較例２と実施の形態１とを比較すると、参照マイクロホン１１１Ｎを主マイクロホン１１１Ｒ及び主マイクロホン１１１Ｌの近傍位置の領域１１２Ｎに配置し、かつ参照マイクロホン１１１Ｎに対し、第２の遮蔽部材及び第３の遮蔽部材を配置することにより、より高い雑音抑圧効果が得られることが分かる。
【０１００】
また図１３において、変形例４と実施の形態１とを比較すると、いずれも高い雑音抑制効果を得られることが分かる。したがって、第２の遮蔽部材及び第３の遮蔽部材をいずれの構成要素で実現しても、同様の雑音抑制効果を得られることが分かる。
【０１０１】
［１−５．効果等］
実施の形態１のデジタルカメラ１００（撮像装置の一例）は収音装置を備える。その収音装置は、音孔１１４を有するケース１０５（筐体）と、ケース１０５の内部に配置され、音孔１１４を介してケース１０５の外部からの音圧を受け、第１の音声信号を生成する主マイクロホン１１１Ｒ及び主マイクロホン１１１Ｌと、ケース１０５の内部であって、主マイクロホン１１１Ｒ及び主マイクロホン１１１Ｌの近傍に配置され、第２の音声信号を生成する参照マイクロホン１１１Ｎと、ケース１０５の内部と主マイクロホン１１１Ｒ及び主マイクロホン１１１Ｌの内部とを遮断する第１の遮断部材と、ケース１０５の外部と参照マイクロホン１１１Ｎの内部とを遮断する第２の遮断部材と、ケース１０５の内部と参照マイクロホン１１１Ｎの内部とを遮断する第３の遮断部材と、を備える。これにより実施の形態１では、雑音を抑制できる。
【０１０２】
実施の形態１の主マイクロホンは、第１の方向からの音声を入力する第１の主マイクロホン（例えば主マイクロホン１１１Ｒ）と、第１の方向と異なる第２の方向からの音声を入力する第２の主マイクロホン（例えば主マイクロホン１１１Ｌ）とを含む。これにより実施の形態１では、より多方向からの音声を収音できる。
【０１０３】
実施の形態１の参照マイクロホン１１１Ｎと第１の主マイクロホン（例えば主マイクロホン１１１Ｒ）との距離と、参照マイクロホン１１１Ｎと第２の主マイクロホン（例えば主マイクロホン１１１Ｌ）との距離は等しい。これにより実施の形態１では、いずれの主マイクロホンからの音声信号に対しても、雑音成分を抑制できる。
【０１０４】
実施の形態１では、主マイクロホン１１１Ｒ及び主マイクロホン１１１Ｌをケース１０５に固定するゴム部材１１３と、参照マイクロホン１１１Ｎをケース１０５に固定するゴム部材１１３とが同じであってもよい。これにより実施の形態１で用いる部材の汎用性が広がる。
【０１０５】
また実施の形態１では、図５に示すように、第２の遮蔽部材の少なくとも一部はケース１０５であり、第３の遮蔽部材の少なくとも一部は参照マイクロホン１１１Ｎの外装部（プリント基板４０８）である。主マイクロホン１１１Ｒ及び主マイクロホン１１１Ｌと参照マイクロホン１１１Ｎとの向きを同じにしたい場合や、音孔１１３Ｈのあるゴム部材１１３を用いたい場合に有効な配置構成となる。
【０１０６】
その他、図１０に示すように、第２の遮蔽部材の少なくとも一部は参照マイクロホン１１１Ｎの外装部（プリント基板４０８）であり、第３の遮蔽部材の少なくとも一部は参照マイクロホン１１１Ｎをケース１０５に固定するゴム部材１１３としてもよい。この場合は、主マイクロホン１１１Ｒ及び主マイクロホン１１１Ｌと参照マイクロホン１１１Ｎとの向きを逆にしたい場合や、音孔１１４のあるケース１０５を用いたい場合に有効な配置構成となる。その他マイクロホンの向きはケース１０５、ゴム部材１１３の構成等によって、変形例１〜変形例５に挙げるような配置構成を選択できる。また変形例１〜変形例５はあくまで一例であり、これら以外の配置構成であっても、第２の遮蔽部材及び第３の遮蔽部材を配置することによって、効果的に雑音を抑制できる。第２の遮蔽部材及び第３の遮蔽部材を、ケース１０５、ゴム部材１１３、ケース４０１、プリント基板４０８のいずれかで構成してもよく、その他別途配置された部材で構成してもよい。
【０１０７】
実施の形態１の収音装置は、参照マイクロホン１１１Ｎからの音声信号に基づき雑音成分を求め、主マイクロホン１１１Ｒ及び主マイクロホン１１１Ｌからの主音声信号から雑音成分を減算する音声処理部をさらに備えている。これにより収音装置自体で、雑音成分を抑制できる。
【０１０８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【０１０９】
上記の実施の形態１では、図２Ａ及び図２Ｂに示すように、参照マイクロホン１１１Ｎを、主マイクロホン１１１Ｒ及び主マイクロホン１１１Ｌよりもカメラの前方側（被写体側）に配置しているが、参照マイクロホン１１１Ｎを、主マイクロホン１１１Ｒ及び主マイクロホン１１１Ｌよりもカメラの背面側に配置してもよい。また、主マイクロホン１１１Ｒ、主マイクロホン１１１Ｌ、及び参照マイクロホン１１１Ｎをデジタルカメラ１００（電子機器の一例）の上部に配置したが、これらのマイクロホンの位置はそれに限定されない。例えば、主マイクロホン１１１Ｒ、主マイクロホン１１１Ｌ、及び参照マイクロホン１１１Ｎを、デジタルカメラ１００の側面や前面に配置してもよい。
【０１１０】
また上記実施の形態では、主マイクロホン１１１Ｒ、主マイクロホン１１１Ｌ、及び参照マイクロホン１１１Ｎを、ゴム部材１１３を介してケース１０５の凹部に固定したが、他の手段によりケース１０５に固定してもよい。例えばケース１０５に凹部が無い場合は、ゴム部材１１３のみによってケース１０５に固定してもよい。さらに固定部材はゴム部材１１３に限られない。例えば固定部材１１３の材料としては、樹脂やスポンジ等でもよい。
【０１１１】
上記の実施の形態では、主マイクロホンで生成した主音声信号における雑音を、参照マイクロホンで生成した雑音信号を用いて抑圧する雑音抑圧処理として、図６を用いて説明した。しかし雑音抑圧処理は、これに限定されず、公知の種々の手法を適用することができる。
【０１１２】
上記の実施の形態では、本開示の収音装置を交換レンズ式のデジタルカメラに適用した例を説明したが、本開示の収音装置をレンズとボディが一体型のデジタルカメラに適用することもできる。
【０１１３】
上記の実施の形態では、本開示の収音装置を、デジタルカメラに適用した例を説明したが、本開示の収音装置の構成は他の電子機器に適用することもできる。例えば、本開示の収音装置の構成を、音声を入力する他の電子機器（ビデオカメラ、ＩＣレコーダ等）に適用することもできる。本開示の収音装置の構成は、特に、電子機器の内部に雑音源を有する電子機器に有用である。また防塵防滴仕様の電子機器に特に有用である。
【０１１４】
以上のように、本開示における技術の例示として、実施の形態を説明した。そのために、添付図面および詳細な説明を提供した。
【０１１５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１６】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１７】
本開示の収音装置は、入力した音声信号から雑音成分を除去することで雑音を抑圧した音声信号を生成でき、音声を電気信号に変換して入力する電子機器（ビデオカメラ、ＩＣレコーダ等）に適用でき、特に内部に雑音源を有する電子機器に有用である。
【符号の説明】
【０１１８】
１００    デジタルカメラ（撮像装置）
１０２    カメラボディ
１０５    ケース（筐体）
１０５Ｂ    一部分
１１１    音声入力部
１１１Ｒ，１１１Ｌ    主マイクロホン
１１１Ｎ    参照マイクロホン
１１２Ｒ，１１２Ｌ，１１２Ｎ，１１２Ｐ    領域
１１３    ゴム部材（固定部材）
１１３Ｂ    一部分
１１３Ｈ    音孔
１１４    音孔
１１５    アナログ音声処理部
１１７ａ    適応フィルタ
１１７ｂ    係数設定部
１１７ｃ    減算器
１２０    デジタル画像・音声処理部
１３０    コントローラ
１４３    ＣＣＤイメージセンサ
１６０    外部記憶媒体
１８０    操作部
１８１    ＢＩＳ駆動部
３０１    交換レンズ
３１９    ＯＩＳ駆動部
４０１    ケース（外装部）
４０２    振動膜
４０３    振動膜リング
４０４    スペーサ
４０５    背極板
４０６    電極
４０７    絶縁体
４０８    プリント基板（外装部）
４０９    ＦＥＴ
４１０    音孔
【図１】
2018042228.tif 000007
【図２Ａ】
2018042228.tif 000008
【図２Ｂ】
2018042228.tif 000009
【図３】
2018042228.tif 000010
【図４】
2018042228.tif 000011
【図５】
2018042228.tif 000012
【図６】
2018042228.tif 000013
【図７】
2018042228.tif 000014
【図８】
2018042228.tif 000015
【図９】
2018042228.tif 000016
【図１０】
2018042228.tif 000017
【図１１】
2018042228.tif 000018
【図１２】
2018042228.tif 000019
【図１３】
2018042228.tif 000020
【図１４】
2018042228.tif 000021
【図１５】
2018042228.tif 000022